(57)【特許請求の範囲】
【請求項１】
スピニングリールのスプールに釣糸を案内するためのラインローラであって、
回転軸周りに回転するベアリング部材と、
釣糸を保持するように構成された周方向に延びる金属製又はセラミックス製の保持部、及び前記釣糸を前記保持部へ案内するガイド面を含む樹脂製の本体部、を有し、前記ベアリング部材の径方向外側に配置される案内部材と、
を備え、
前記保持部は、前記釣糸を保持する環状の溝部を有し、
前記案内部材は、前記ベアリングの外輪と一体的に回転する、
ラインローラ。
【請求項２】
前記本体部は、周方向に延びる環状の凹部を有し、
前記保持部は、前記凹部内に収容される、
請求項１に記載のラインローラ。
【請求項３】
前記本体部は、第１本体部と、第２本体部とを有し、
前記保持部は、前記第１本体部と前記第２本体部とに挟持される、
請求項１又は２に記載のラインローラ。
【請求項４】
前記本体部は、第１本体部と、前記第１本体部と軸方向において間隔をあけて配置される第２本体部と、を有し、
前記保持部は、前記第１本体部と前記第２本体部との間に配置される、
請求項１に記載のラインローラ。
【請求項５】
前記回転軸に対する前記ガイド面の傾斜角度は、１０〜６０度である、
請求項１から４のいずれかに記載のラインローラ。
【請求項６】
前記ベアリング部材の一方の端面と当接した状態で前記案内部材と係合する支持部材をさらに備え、
前記案内部材は、前記ベアリング部材の他方の端面と当接する第１当接部をさらに有する、
請求項１から５のいずれかに記載のラインローラ。
【請求項７】
前記ガイド面は、前記本体部の外周面によって構成される、
請求項１から６のいずれかに記載のラインローラ。
【発明の詳細な説明】
【技術分野】
【０００１】
本発明は、ラインローラに関するものである。
【背景技術】
【０００２】
スピニングリールは、スプールと、一対のロータアームを有するロータと、一対のロータアームの先端部に揺動可能に装着された釣糸案内機構（いわゆるベールアーム）と、を備えている（特許文献１参照）。釣糸案内機構は、釣糸をスプールに案内するための機構である。この釣糸案内機構は、ベールと、ベールの両端部を支持する一対のベール支持部材と、ラインローラと、を有している。
【先行技術文献】
【特許文献】
【０００３】
【特許文献１】特開２００６−１０１７０４号公報
【発明の概要】
【発明が解決しようとする課題】
【０００４】
ラインローラは、一般的に、案内部材と、ベアリングとを有している。案内部材がベアリングに装着されている。案内部材は、釣糸と接触しているため、耐摩耗性を有する材料から構成されている。具体的には、案内部材は、真鍮又はステンレスなどの金属によって構成されている。しかしながら、金属製の案内部材は、重量が重いために慣性モーメントが大きくなり、その結果、ラインローラが釣糸の巻き取り及び繰り出しに追従しにくくなるという問題がある。
【０００５】
本発明の課題は、釣糸の巻き取り及び繰り出しに対してスムーズに追従することのできるラインローラを提供することにある。
【課題を解決するための手段】
【０００６】
本発明のある側面に係るラインローラは、スピニングリールのスプールに釣糸を案内するためのラインローラである。このラインローラは、ベアリング部材と、案内部材とを備えている。ベアリング部材は、回転軸周りに回転する。案内部材は、保持部と本体部とを有する。保持部は、金属製又はセラミックス製であって、釣糸を保持するように構成されている。また、保持部は、周方向に延びる。本体部は、釣糸を保持部へ案内するガイド面を含む。本体部は、樹脂製である。案内部材は、ベアリング部材の径方向外側に配置される。
【０００７】
本発明に係るラインローラの案内部材は、本体部が樹脂製である。このため、本発明に係る案内部材は、従来の金属製の案内部材よりも重量が軽い。この結果、本発明に係る案内部材の慣性モーメントは、従来の案内部材の慣性モーメントよりも小さくなり、ひいては、本発明に係るラインローラは、釣糸の巻き取り及び繰り出しに対してスムーズに追従することができる。また、案内部材は、釣糸を保持する保持部の材質は金属又はセラミックスであるため、耐摩耗性を有している。
【０００８】
好ましくは、本体部は、周方向に延びる環状の凹部を有する。そして、保持部は、凹部内に収容される。
【０００９】
本体部は、第１本体部と、第１本体部と軸方向において間隔をあけて配置される第２本体部と、を有していてもよい。そして、保持部は、第１本体部と第２本体部との間に配置されている。
【００１０】
好ましくは、保持部は、釣糸を保持する環状の溝部を有する。
【００１１】
好ましくは、回転軸に対するガイド面の傾斜角度は、１０〜６０度である。
【００１２】
好ましくは、ラインローラは、支持部材をさらに備える。支持部材は、ベアリング部材の一方の端面と当接した状態で案内部材と係合する。この場合、案内部材は、ベアリング部材の一方の端面と当接する第１当接部をさらに有する。この構成によれば、支持部材と第１当接部とによって、ベアリング部材を挟んで支持することができる。
【発明の効果】
【００１３】
本発明に係るラインローラによれば、釣糸の巻き取り及び繰り出しに対してスムーズに追従することができる。
【図面の簡単な説明】
【００１４】
【図１】スピニングリールの側面図。
【図２】釣糸案内機構の断面図。
【図３】ラインローラの断面図。
【図４】変形例に係るラインローラの断面図。
【図５】変形例に係るラインローラの断面図。
【図６】変形例に係るラインローラの断面図。
【図７】変形例に係る本体部の斜視図。
【発明を実施するための形態】
【００１５】
以下、本発明に係るラインローラユニット、及びこれを用いた釣糸案内機構の実施形態について図面を参照しつつ説明する。図１はスピニングリール１００の側面図である。
【００１６】
図１に示すように、スピニングリール１００は、リール本体１１０、スプール１２０、ロータ１３０、ハンドル１４０、及び釣糸案内機構２を備えている。
【００１７】
リール本体１１０は、内部に収容空間を有しており、種々の機構を収容している。例えば、リール本体１１０内には、ロータ１３０を回転させる機構、及びスプール１２０を前後移動させる機構などが収容されている。
【００１８】
スプール１２０は、釣糸が巻きつけられる部材である。スプール１２０は、略円筒状である。ロータ１３０は、スプール１２０に釣糸を巻きつけるための部材である。ハンドル１４０を回転させると、スプール１２０が前後方向に往復移動し、ロータ１３０がスプール１２０の中心軸を中心に回転する。そして、ロータ１３０とともに回転する釣糸案内機構２が、釣糸をスプール１２０へと案内する。
【００１９】
詳細には、ロータ１３０は、ロータ本体部１３１と、第１及び第２ロータアーム１３２，１３３を有している。第１及び第２ロータアーム１３２、１３３は、ロータ本体部１３１の外周面から前方に向かって延びている。第１ロータアーム１３２と第２ロータアーム１３３とは、ロータ本体部１３１の周方向において、反対側の位置に配置されている。そして、釣糸案内機構２は、第１ロータアーム１３２及び第２ロータアーム１３３に、揺動可能に取り付けられている。
【００２０】
釣糸案内機構２は、糸案内姿勢と糸開放姿勢とを選択可能となるように、揺動可能にロータ１３０に取り付けられている。釣糸案内機構２は、ベール２１、第１ベール支持部材２２、第２ベール支持部材２３、軸部材２４、及びラインローラ２５（図２参照）を備えている。
【００２１】
ベール２１は、略Ｕ字状のステンレス合金製の部材である。ベール２１は、スプール１２０の外周面に沿って外方に凸となるように湾曲している。このベール２１は、第１端部２１ａと第２端部２１ｂとを有する。釣糸案内機構２が糸開放姿勢から糸案内姿勢に復帰したときに、ベール２１は、釣糸を第１端部２１ａを介してラインローラ２５に導く。
【００２２】
第１ベール支持部材２２は、ベール２１の第１端部２１ａを支持する。詳細には、第１ベール支持部材２２は、軸部材２４を介して、ベール２１の第１端部２１ａを支持する。第１ベール支持部材２２は、第１ロータアーム１３２に取り付けられている。詳細には、第１ベール支持部材２２は、第１ロータアーム１３２に揺動可能に装着されている。なお、第１ベール支持部材２２は、第１ロータアーム１３２の先端部の外側に揺動可能に装着されている。
【００２３】
第２ベール支持部材２３は、ベール２１の第２端部２１ｂを支持する。第２ベール支持部材２３は、第２ロータアーム１３３に揺動可能に装着されている。詳細には、第２ベール支持部材２３は、第２ロータアーム１３３の先端部の外側に揺動可能に装着されている。
【００２４】
図２は釣糸案内機構２の断面図である。なお、以下の説明において、軸方向とは、ラインローラ２５の回転軸Ｏが延びる方向を意味する。すなわち、軸部材２４が延びる方向を意味する。具体的には、図２の左右方向が軸方向を示す。また、径方向とは、回転軸Ｏを中心とした円の径方向を意味する。また、周方向とは、回転軸Ｏを中心とした円の周方向を意味する。
【００２５】
図２に示すように、軸部材２４は、第１ベール支持部材２２とベール２１の第１端部２１ａとの間を延びている。詳細には、軸部材２４は、ベール２１の第１端部２１ａから第１ベール支持部材２２に向かって延びている。そして、第１ベール支持部材２２から延びるボルト２２ａが、軸部材２４の貫通孔２４１と螺合している。
【００２６】
図３はラインローラ２５の断面図である。ラインローラ２５は、スピニングリール１００のスプール１２０に釣糸を案内するための部材である。図３に示すように、ラインローラ２５は、ベアリング部材３と、案内部材４とを備える。また、ラインローラ２５は、第１規制部材５、第２規制部材６、及び支持部材７をさらに備える。
【００２７】
ベアリング部材３は、回転軸Ｏ周りに回転する。ベアリング部材３は、内輪３１、外輪３２、及び複数の転動体３３を有する。内輪３１は、円筒状である。軸部材２４は、内輪３１に嵌合している。このため、内輪３１は、軸部材２４と一体的に回転する。
【００２８】
外輪３２は、円筒状であって、内輪３１よりも径が大きい。外輪３２は、内輪３１の径方向外側に配置されている。各転動体３３は、内輪３１と外輪３２との間に配置されている。各転動体３３は、周方向において互いに間隔をあけて配置されている。内輪３１及び外輪３２は、金属によって形成されており、例えば、ステンレス鋼によって形成されている。
【００２９】
第１及び第２規制部材５，６は、軸方向において、ベアリング部材３に隣接して配置されている。詳細には、軸方向において、第１規制部材５、ベアリング部材３、第２規制部材６の順で並んでいる。すなわち、軸方向において、ベアリング部材３は、第１規制部材５と第２規制部材６との間に配置されている。
【００３０】
第１及び第２規制部材５，６は、円筒状である。第１及び第２規制部材５，６の内径は、ベアリング部材３の内径と実質的に等しい。第１及び第２規制部材５，６を、軸部材２４が貫通している。
【００３１】
第１及び第２規制部材５，６は、ベアリング部材３の軸方向の移動を規制する。詳細には、第１規制部材５は、軸方向において、第１ベール支持部材２２とベアリング部材３との間に配置される。このため、第１規制部材５は、ベアリング部材３が第１ベール支持部材２２側（図２の右側）へ移動することを規制する。また、第２規制部材６は、軸方向において、ベール２１の第１端部２１ａとベアリング部材３との間に配置される。このため、第２規制部材６は、ベアリング部材３がベール２１の第１端部２１ａ側（図２の左側）へ移動することを規制する。
【００３２】
第１及び第２規制部材５，６の外周面は、撥水性を有していることが好ましい。第１及び第２規制部材５，６の外周面と、その外周面に付着した水滴との接触角が例えば９０度以上となることが好ましい。
【００３３】
第１及び第２規制部材５，６の外周面に撥水性を付与するために、例えば、第１及び第２規制部材５，６の外周面に撥水性を有する材料を塗布してもよいし、第１及び第２規制部材５，６を撥水性を有する材料で形成してもよい。なお、撥水性を有する材料は、例えば、フッ素樹脂、又はシリコン樹脂などを含む材料である。
【００３４】
案内部材４は、筒状である。案内部材４は、ベアリング部材３の径方向外側に配置されている。詳細には、案内部材４にベアリング部材３が嵌合している。案内部材４は、ベアリング部材３の外輪３２と一体的に回転する。案内部材４は、本体部４１と保持部４２とを有している。
【００３５】
本体部４１は、円筒状である。本体部４１は、ベアリング部材３に取り付けられている。本体部４１は、樹脂製である。より詳細には、本体部４１は、ナイロン樹脂、ポリアセタール樹脂、及びＡＢＳ樹脂よりなる群から選ばれる少なくとも１種から形成される。本体部４１は、ガイド面４１１を含んでいる。ガイド面４１１は、本体部４１の外周面によって構成されている。ガイド面４１１は、釣糸を保持部４２へ案内するように構成されている。詳細には、ガイド面４１１は、軸方向の両端部から保持部４２まで傾斜している。すなわち、本体部４１は、保持部４２に近付くにつれて外径が小さくなる。回転軸Ｏに対するガイド面４１１の傾斜角度αは、例えば、約１０〜６０度とすることが好ましい。本体部４１は、周方向に延びる環状の凹部４１２を有している。凹部４１２は、本体部４１の外周面に形成されている。凹部４１２は、本体部４１の略中央部に形成されている。
【００３６】
本体部４１は、第１本体部４１ａと第２本体部４１ｂとから構成されている。第１本体部４１ａと第２本体部４１ｂとは、互いに固定されている。例えば、第１本体部４１ａと第２本体部４１ｂとは、互いに溶着されている。なお、第１本体部４１ａと第２本体部４１ｂとは、互いに接着されることによって固定されていてもよいし、圧入することによって固定されていてもよい。
【００３７】
第１本体部４１ａは、ベアリング部材３の端面（図３の右側端面）と当接する。詳細には、第１本体部４１ａは、外輪３２の端面と当接する。第１本体部４１ａの内径は、外輪３２の内径よりも小さく、内輪３１の外径よりも大きい。すなわち、第１本体部４１ａは、外輪３２のみと当接しており、内輪３１とは当接していない。
【００３８】
第２本体部４１ｂは、ベアリング部材３の端面（図３の左側端面）と当接する。詳細には、第２本体部４１ｂは、外輪３２の端面と当接する。第２本体部４１ｂの内径は、外輪３２の内径よりも小さく、内輪３１の外径よりも大きい。すなわち、第２本体部４１ｂは、外輪３２のみと当接しており、内輪３１とは当接していない。この第２本体部４１ｂと第１本体部４１ａとによって、ベアリング部材３の外輪３２を挟持する。
【００３９】
第１本体部４１ａは、径方向において、第１規制部材５と間隔をあけて配置されている。すなわち、第１本体部４１ａの内径は、第１規制部材５の外径よりも大きい。このため、案内部材４が回転軸Ｏを中心に回転するとき、第１本体部４１ａは第１規制部材５とは実質的に接触しない。第１本体部４１ａの内周面は、第１規制部材５の外周面と対向している。
【００４０】
第２本体部４１ｂは、径方向において、第２規制部材６と間隔をあけて配置されている。すなわち、第２本体部４１ｂの内径は、第２規制部材６の外径よりも大きい。このため、案内部材４が回転軸Ｏを中心に回転するとき、第２本体部４１ｂは第２規制部材６とは実質的に接触しない。第２本体部４１ｂの内周面は、第２規制部材６の外周面と対向している。
【００４１】
保持部４２は、釣糸を保持するように構成されている。釣糸は、前方から、ラインローラ２５の保持部４２を通ってスプール１２０の外周面に案内される。釣糸の移動に追随して、釣糸が接触する保持部４２と共にラインローラ２５全体が回転する。なお、釣糸の保持とは、スプール１２０への釣糸の巻取り中に釣糸がラインローラ２５の回転軸方向に大きく移動しない程度に規制することを意味し、張力を失った釣糸がラインローラ２５から離脱するのを防ぐことを意味するものではない。
【００４２】
保持部４２は、周方向に延びる環状である。保持部４２は、金属製又はセラミックス製である、詳細には、保持部４２は、ステンレス鋼、真鍮、アルミニウム合金、チタン合金、シリコン化合物、及び酸化アルミニウムよりなる群から選ばれる少なくとも１種によって形成される。すなわち、保持部４２は、本体部４１とは別の部材によって構成されている。
【００４３】
保持部４２は、釣糸を保持する環状の溝部４２１を有している。この保持部４２内において釣糸は保持されている。保持部４２は、本体部４１と一体的に回転する。詳細には、保持部４２は、本体部４１の凹部４１２内に収容された状態で、本体部４１に固定されている。具体的には、保持部４２は、第１本体部４１ａと第２本体部４１ｂとによって挟持されている。
【００４４】
以上説明したラインローラ２５によれば、案内部材４の本体部４１が樹脂製である。このため、案内部材４は、従来の金属製の案内部材よりも重量が軽い。この結果、案内部材４の慣性モーメントは、従来の案内部材の慣性モーメントよりも小さくなり、ひいては、ラインローラ２５が釣糸の巻き取り及び繰り出しに対してスムーズに追従することができる。また、案内部材４は、釣糸を保持する保持部４２の材質は金属であるため、耐摩耗性を有している。
【００４５】
［変形例］
以上、本発明の実施形態について説明したが、本発明はこれらに限定されるものではなく、本発明の趣旨を逸脱しない限りにおいて種々の変更が可能である。
【００４６】
変形例１
図４に示すように、第１本体部４１ａと第２本体部４１ｂとは、軸方向において互いに間隔をあけて配置されていてもよい。保持部４２は、第１本体部４１ａと第２本体部４１ｂとの間に配置されている。保持部４２は、第１本体部４１ａ及び第２本体部４１ｂに固定されていてもよいし、固定されていなくてもよい。
【００４８】
変形例３
上記実施形態では、保持部４２の溝部４２１は断面が矩形状であったが、図５に示すように、溝部４２１の断面は三角形状であってもよい。また、溝部４２１の断面形状は、その他の形状であってもよい。
【００４９】
変形例４
上記実施形態では、本体部４１は、第１本体部４１ａと第２本体部４１ｂとの２つの部材によって形成されているが、図６に示すように、本体部４１は１つの部材によって形成されていてもよい。この場合、例えば、インサート成形によって、保持部４２は本体部４１の凹部４１２内に形成することができる。この場合、ラインローラ２５は、ベアリング部材３の外輪３２を挟持するために、支持部材７をさらに備えていることが好ましい。
【００５０】
支持部材７は、略円筒状である。支持部材７は、ベアリング部材３の端面（図６の左側面）と当接した状態で、本体部４１と係合している。これによって、ベアリング部材３の外輪３２は、本体部４１と支持部材７とによって挟持される。なお、支持部材７の内径は、外輪３２の内径よりも小さく、内輪３１の外径よりも大きい。すなわち、支持部材７は、外輪３２のみと当接しており、内輪３１とは当接していない。なお、案内部材４は、ベアリング部材３の右側面と当接する第１当接部４３を有している。
【００５１】
支持部材７は、径方向において、第２規制部材６と間隔をあけて配置されている。すなわち、支持部材７の内径は、第２規制部材６の外径よりも大きい。このため、支持部材７が回転軸Ｏを中心に回転するとき、支持部材７は第２規制部材６とは実質的に接触しない。支持部材７の内周面は、第２規制部材６の外周面と対向している。支持部材７は、例えば、樹脂製であり、案内部材４と同様の材質とすることができる。
【００５２】
また、本体部４１が１つの部材によって形成されている場合、図７に示すように、本体部４１の内側面に、複数の開口部４１３が形成されていてもよい。各開口部４１３は、互いに周方向に間隔をあけて配置されている。この各開口部４１３から保持部４２が露出している。すなわち、この各開口部４１３を介して、保持部４２を保持することができる。このため、例えば、インサート成形の際に保持部４２を保持することができる。
【符号の説明】
【００５３】
３        ：ベアリング部材
４        ：案内部材
７        ：支持部材
２５      ：ラインローラ
４１      ：本体部
４１ａ    ：第１本体部
４１ｂ    ：第２本体部
４１１    ：ガイド面
４１２    ：凹部
４２      ：保持部
４２１    ：溝部
４３      ：第１当接部
１００    ：スピニングリール
１２０    ：スプール
Ｏ        ：回転軸
α        ：傾斜角度
【図１】
0006668064.tif 000002
【図２】
0006668064.tif 000003
【図３】
0006668064.tif 000004
【図４】
0006668064.tif 000005
【図５】
0006668064.tif 000006
【図６】
0006668064.tif 000007
【図７】
0006668064.tif 000008